(57)【要約】【課題】通常テレビサービスと臨時サービスの別ＴＳでの伝送を可能とし、品質低下を伴わずに同等の機能を実現できる臨時サービス伝送システムを提供する。【解決手段】送出側装置１００では、メディアストリーム中の通常サービスＴＳのＳＤＴに臨時サービス実施通知リンク記述子を埋め込み、臨時サービスＴＳのＳＤＴに臨時サービス終了時遷移先リンク記述子を埋め込んで、デジタル放送網３００を介して送出し（ＳＩ編集制御機能１０５、ＳＩ編集機能１０７、送出機能１０９）、受信側装置２００では、受信したメディアストリーム中のＳＤＴを抽出し、前記臨時サービス実施通知リンク記述子の有無に応じて選局可否を通知し、前記臨時サービス終了時遷移先リンク記述子の有無に応じて臨時サービス終了時の遷移先を通知し、メディアストリームを再生する（選局機能２０１、受信機能２０２、ＳＩ処理機能２０３、再生機能２０５）。【選択図】図１０
2010093659.tif 000002
【特許請求の範囲】
【請求項１】
送出側装置と受信側装置を備え、通常編成による通常サービスを構成するデータと臨時編成による臨時サービスを構成するデータとを、通常サービス実施のためのＴＳ（トランスポートストリーム）と臨時サービス実施のためのＴＳとに分離して伝送する臨時編成における臨時サービス伝送システムであって、
前記送出側装置は、
前記臨時サービスを識別するための情報を記載したＰＡＴ（プログラムアソシエーションテーブル）が記憶される第１の記憶手段と、
メディアストリームを入力とし、該メディアストリーム中の臨時サービス実施のためのＴＳのＰＡＴと、前記第１の記憶手段に記憶されたＰＡＴとを比較し、臨時サービスの開始又は終了を判定し、臨時サービスの開始を判定したときは、臨時サービス実施通知リンク記述子追加処理の開始指令を発信する処理と、前記入力されたメディアストリームを出力する処理とを行うＳＩ編集制御手段と、
前記通常サービス実施のためのＴＳのチャンネル情報が記載されているテーブル中に配置する、臨時サ−ビスが実施されるチャンネル情報を表す臨時サービス実施通知リンク記述子の情報と、前記臨時サービス実施のためのＴＳのチャンネル情報が記載されているテーブル中に配置する、臨時サ−ビス終了時の遷移先チャンネル情報を表す臨時サービス終了時遷移先リンク記述子の情報のうち、少なくとも前記臨時サービス実施通知リンク記述子の情報が設定される設定手段と、
前記ＳＩ編集制御手段から出力されたメディアストリームを入力とし、前記ＳＩ編集制御手段から発信された臨時サービス実施通知リンク記述子追加処理の開始指令を受信したときに、前記設定手段に設定されている臨時サービス実施通知リンク記述子の情報を、前記メディアストリーム中の前記通常サービス実施のためのＴＳのチャンネル情報が記載されているテーブルに埋め込む処理と、前記設定手段に前記臨時サービス終了時遷移先リンク記述子の情報が設定されている場合に、該情報を前記メディアストリーム中の前記臨時サービスのためのＴＳのチャンネル情報が記載されているテーブルに埋め込む処理と、前記リンク記述子の情報が埋め込まれたメディアストリームを出力する処理とを行うＳＩ編集手段とを備え、
前記ＳＩ編集手段から出力されたメディアストリームを送出し、
前記受信側装置は、
前記通常サービス実施のためのＴＳのチャンネル情報が記載されているテーブルの情報および前記臨時サービス実施のためのＴＳのチャンネル情報が記載されているテーブルの情報が記憶される第２の記憶手段と、
前記送出側装置から送出されたメディアストリームを受信したメディアストリームを入力とし、該メディアストリームから通常サービス実施のためのＴＳのチャンネル情報が記載されているテーブルを取得し、該テーブルが、前記第２の記憶手段に記憶されている通常サービス実施のためのＴＳのチャンネル情報が記載されているテーブルと比べて更新されているか否かを判定し、更新されている場合は、前記メディアストリームから取得したテーブルに前記臨時サービス実施通知リンク記述子が存在するか否かを判定し、存在するときは臨時サービス選局可能通知を選局手段へ発し、存在しないときは選局可能な臨時サービスがないことの通知を選局手段へ発する処理と、前記メディアストリームから臨時サービス実施のためのＴＳのチャンネル情報が記載されているテーブルを取得し、該テーブルが、前記第２の記憶手段に記憶されている臨時サービス実施のためのＴＳのチャンネル情報が記載されているテーブルと比べて更新されているか否かを判定し、更新されている場合は前記メディアストリームから取得したテーブルに前記臨時サービス終了時遷移先リンク記述子が存在するか否かを判定し、存在するときは臨時サービス終了時の遷移先チャンネル情報を選局手段へ通知し、存在しないときは臨時サービス終了時のチャンネル遷移先がないことの通知を選局手段へ発する処理とを行うＳＩ処理手段とを備え、
前記ＳＩ処理手段の処理終了後に前記メディアストリームを再生手段に出力することを特徴とする臨時編成における臨時サービス伝送システム。
【請求項２】
臨時編成による臨時サービスを識別するための情報を記載したＰＡＴ（プログラムアソシエーションテーブル）が記憶される第１の記憶手段と、通常編成による通常サービス実施のためのＴＳ（トランスポートストリーム）のチャンネル情報が記載されているテーブル中に配置する、臨時サ−ビスが実施されるチャンネル情報を表す臨時サービス実施通知リンク記述子の情報と、臨時編成による臨時サービス実施のためのＴＳのチャンネル情報が記載されているテーブル中に配置する、臨時サ−ビス終了時の遷移先チャンネル情報を表す臨時サービス終了時遷移先リンク記述子の情報のうち、少なくとも前記臨時サービス実施通知リンク記述子の情報が設定される設定手段とを備えた送出側装置と、
前記通常サービス実施のためのＴＳのチャンネル情報が記載されているテーブルの情報および前記臨時サービス実施のためのＴＳのチャンネル情報が記載されているテーブルの情報が記憶される第２の記憶手段を備えた受信側装置とを具備し、
前記通常サービスを構成するデータと臨時サービスを構成するデータとを、通常サービス実施のためのＴＳと臨時サービス実施のためのＴＳとに分離して伝送する臨時編成における臨時サービス伝送方法であって、
前記送出側装置のＳＩ編集制御手段が、メディアストリームを入力し、該メディアストリーム中の臨時サービス実施のためのＴＳのＰＡＴと、前記第１の記憶手段に記憶されたＰＡＴとを比較し、前記メディアストリーム中のＰＡＴが更新されたか否かを判定する第１の判定ステップと、
前記第１の判定ステップの判定の結果、前記ＰＡＴが更新された場合に、臨時サービスの開始であるか終了であるかを判定する第２の判定ステップと、
前記第２の判定ステップの判定の結果、臨時サービスの開始であると判定したときに、臨時サービス実施通知リンク記述子追加処理の開始指令を発信するステップと、
前記第２の判定ステップの判定の結果、臨時サービスの終了であると判定したときに、臨時サービス実施通知リンク記述子追加処理の終了指令を発信するステップと、
前記第１の判定ステップの判定の結果、前記ＰＡＴが更新された場合に、当該ＰＡＴを前記第１の記憶手段に上書き保持するステップと、
前記メディアストリームを出力するステップと、
前記送出側装置のＳＩ編集手段が、前記ＳＩ編集制御手段から出力されたメディアストリームを入力し、前記ＳＩ編集制御手段から発信された臨時サービス実施通知リンク記述子追加処理の開始指令を受信したときに、前記設定手段に設定されている臨時サービス実施通知リンク記述子の情報を、前記メディアストリーム中の前記通常サービス実施のためのＴＳのチャンネル情報が記載されているテーブルに埋め込むステップと、
前記設定手段に前記臨時サービス終了時遷移先リンク記述子の情報が設定されている場合に、該情報を前記メディアストリーム中の前記臨時サービスのためのＴＳのチャンネル情報が記載されているテーブルに埋め込むステップと、
前記リンク記述子の情報が埋め込まれたメディアストリームを出力するステップと、
前記送出側装置の送出手段が、前記ＳＩ編集手段から出力されたメディアストリームを送出するステップと、
前記受信側装置のＳＩ処理手段が、前記送出側装置から送出されたメディアストリームを受信したメディアストリームを入力し、該メディアストリームから通常サービス実施のためのＴＳのチャンネル情報が記載されているテーブルを取得し、該テーブルが、前記第２の記憶手段に記憶されている通常サービス実施のためのＴＳのチャンネル情報が記載されているテーブルと比べて更新されているか否かを判定する第１の判定ステップと、
前記第１の判定ステップの判定の結果、前記テーブルが更新されている場合に、前記メディアストリームから取得したテーブルに前記臨時サービス実施通知リンク記述子が存在するか否かを判定する第２の判定ステップと、
前記第２の判定ステップの判定の結果、前記リンク記述子が存在するときは臨時サービス選局可能通知を選局手段へ発するステップと、
前記第２の判定ステップの判定の結果、前記リンク記述子が存在しないときは選局可能な臨時サービスがないことの通知を選局手段へ発するステップと、
前記第１の判定ステップの判定の結果、前記通常サービス実施のためのＴＳのチャンネル情報が記載されているテーブルが更新された場合に、当該テーブルを前記第２の記憶手段に上書き保持するステップと、
前記メディアストリームから臨時サービス実施のためのＴＳのチャンネル情報が記載されているテーブルを取得し、該テーブルが、前記第２の記憶手段に記憶されている臨時サービス実施のためのＴＳのチャンネル情報が記載されているテーブルと比べて更新されているか否かを判定する第３の判定ステップと、
前記第３の判定ステップの判定の結果、前記テーブルが更新されている場合に、前記メディアストリームから取得したテーブルに前記臨時サービス終了時遷移先リンク記述子が存在するか否かを判定する第４の判定ステップと、
前記第４の判定ステップの判定の結果、前記リンク記述子が存在するときは臨時サービス終了時の遷移先チャンネル情報を選局手段へ通知するステップと、
前記第４の判定ステップの判定の結果、前記リンク記述子が存在しないときは臨時サービス終了時のチャンネル遷移先がないことを選局手段へ通知するステップと、
前記第３の判定ステップの判定結果、前記臨時サービス実施のためのＴＳのチャンネル情報が記載されているテーブルが更新された場合に、当該テーブルを前記第２の記憶手段に上書き保持するステップと、
ＳＩ処理手段で行われる前記処理終了後に、前記メディアストリームを再生手段へ出力するステップとを備えたことを特徴とする臨時編成における臨時サービス伝送方法。
【請求項３】
コンピュータを請求項１に記載の各手段として機能させる臨時編成における臨時サービス伝送プログラム。
【請求項４】
送出側装置と受信側装置を備え、通常編成による通常サービスを構成するデータと臨時編成による臨時サービスを構成するデータとを、通常サービス実施のためのＴＳ（トランスポートストリーム）と臨時サービス実施のためのＴＳとに分離して伝送する臨時編成における臨時サービス伝送システムの受信側装置であって、
前記送出側装置から送出されたメディアストリームを受信する受信手段と、
前記受信手段により受信されたメディアストリームを入力とし、該メディアストリーム中の通常サービス実施のためのＴＳのチャンネル情報が記載されているテーブルおよび臨時サービス実施のためのＴＳのチャンネル情報が記載されているテーブルと、記憶手段に記憶された前記テーブルに基づいて、臨時サービス選局可能通知又は選局可能な臨時サービスがないことの通知を発し、前記メディアストリームを出力するＳＩ処理手段と、
前記ＳＩ処理手段から出力されたメディアストリームを再生し、臨時サービス終了通知を出力する再生手段と、
前記ＳＩ処理手段から発せられた臨時サービス選局可能通知又は選局可能な臨時サービスがないことの通知、および前記再生手段から出力された臨時サービス終了通知を入力とし、前記受信手段に対して選局指示を出力する選局手段とを備えたことを特徴とする臨時編成における臨時サービス伝送システムの受信側装置。
【請求項５】
送出側装置と受信側装置を備え、前記送出側装置が、通常編成による通常サービスを構成するデータと臨時編成による臨時サービスを構成するデータとを、通常サービス実施のためのＴＳ（トランスポートストリーム）と臨時サービス実施のためのＴＳとに分離し、前記通常サービス実施のためのＴＳのチャンネル情報が記載されているテーブル中に、臨時サービスの開始、終了にあわせて、臨時サービスが実施されるチャンネル情報を表す臨時サービス実施通知リンク記述子の情報を埋め込み、前記臨時サービス実施のためのＴＳのチャンネル情報が記載されているテーブル中に、臨時サービス終了時の遷移先チャンネル情報を表す臨時サービス終了時遷移先リンク記述子の情報を埋め込み、伝送する臨時編成における臨時サービス伝送システムの受信側装置であって、
前記通常サービス実施のためのＴＳのチャンネル情報が記載されているテーブルの情報および前記臨時サービス実施のためのＴＳのチャンネル情報が記載されているテーブルの情報が記憶される記憶手段と、
前記送出側装置から送出されたメディアストリームを受信したメディアストリームを入力とし、該メディアストリームから通常サービス実施のためのＴＳのチャンネル情報が記載されているテーブルを取得し、該テーブルが、前記記憶手段に記憶されている通常サービス実施のためのＴＳのチャンネル情報が記載されているテーブルと比べて更新されているか否かを判定し、更新されている場合は、前記メディアストリームから取得したテーブルに前記臨時サービス実施通知リンク記述子が存在するか否かを判定し、存在するときは臨時サービス選局可能通知を選局手段へ発し、存在しないときは選局可能な臨時サービスがないことの通知を選局手段へ発する処理と、前記メディアストリームから臨時サービス実施のためのＴＳのチャンネル情報が記載されているテーブルを取得し、該テーブルが、前記記憶手段に記憶されている臨時サービス実施のためのＴＳのチャンネル情報が記載されているテーブルと比べて更新されているか否かを判定し、更新されている場合は前記メディアストリームから取得したテーブルに前記臨時サービス終了時遷移先リンク記述子が存在するか否かを判定し、存在するときは臨時サービス終了時の遷移先チャンネル情報を選局手段へ通知し、存在しないときは臨時サービス終了時のチャンネル遷移先がないことの通知を選局手段へ発する処理とを行うＳＩ処理手段とを備え、
前記ＳＩ処理手段の処理終了後に前記メディアストリームを再生手段に出力することを特徴とする臨時編成における臨時サービス伝送システムの受信側装置。
【請求項６】
送出側装置と、通常編成による通常サービス実施のためのＴＳ（トランスポートストリーム）のチャンネル情報が記載されているテーブルの情報および臨時編成による臨時サービス実施のためのＴＳのチャンネル情報が記載されているテーブルの情報が記憶される記憶手段を有した受信側装置を備え、前記送出側装置が、通常サービスを構成するデータと臨時サービスを構成するデータとを、通常サービス実施のためのＴＳと臨時サービス実施のためのＴＳとに分離し、前記通常サービス実施のためのＴＳのチャンネル情報が記載されているテーブル中に、臨時サービスの開始、終了にあわせて、臨時サービスが実施されるチャンネル情報を表す臨時サービス実施通知リンク記述子の情報を埋め込み、前記臨時サービス実施のためのＴＳのチャンネル情報が記載されているテーブル中に、臨時サービス終了時の遷移先チャンネル情報を表す臨時サービス終了時遷移先リンク記述子の情報を埋め込み、伝送する臨時編成における臨時サービス伝送システムの受信側装置の処理方法であって、
ＳＩ処理手段が、前記送出側装置から送出されたメディアストリームを受信したメディアストリームを入力し、該メディアストリームから通常サービス実施のためのＴＳのチャンネル情報が記載されているテーブルを取得し、該テーブルが、前記記憶手段に記憶されている通常サービス実施のためのＴＳのチャンネル情報が記載されているテーブルと比べて更新されているか否かを判定する第１の判定ステップと、
前記第１の判定ステップの判定の結果、前記テーブルが更新されている場合に、前記メディアストリームから取得したテーブルに前記臨時サービス実施通知リンク記述子が存在するか否かを判定する第２の判定ステップと、
前記第２の判定ステップの判定の結果、前記リンク記述子が存在するときは臨時サービス選局可能通知を選局手段へ発するステップと、
前記第２の判定ステップの判定の結果、前記リンク記述子が存在しないときは選局可能な臨時サービスがないことの通知を選局手段へ発するステップと、
前記第１の判定ステップの判定の結果、前記通常サービス実施のためのＴＳのチャンネル情報が記載されているテーブルが更新された場合に、当該テーブルを前記第２の記憶手段に上書き保持するステップと、
前記メディアストリームから臨時サービス実施のためのＴＳのチャンネル情報が記載されているテーブルを取得し、該テーブルが、前記記憶手段に記憶されている臨時サービス実施のためのＴＳのチャンネル情報が記載されているテーブルと比べて更新されているか否かを判定する第３の判定ステップと、
前記第３の判定ステップの判定の結果、前記テーブルが更新されている場合に、前記メディアストリームから取得したテーブルに前記臨時サービス終了時遷移先リンク記述子が存在するか否かを判定する第４の判定ステップと、
前記第４の判定ステップの判定の結果、前記リンク記述子が存在するときは臨時サービス終了時の遷移先チャンネル情報を選局手段へ通知するステップと、
前記第４の判定ステップの判定の結果、前記リンク記述子が存在しないときは臨時サービス終了時のチャンネル遷移先がないことを選局手段へ通知するステップと、
前記第３の判定ステップの判定結果、前記臨時サービス実施のためのＴＳのチャンネル情報が記載されているテーブルが更新された場合に、当該テーブルを前記第２の記憶手段に上書き保持するステップと、
ＳＩ処理手段で行われる前記処理終了後に、前記メディアストリームを再生手段へ出力するステップとを備えたことを特徴とする臨時編成における臨時サービス伝送システムの受信側装置の処理方法。
【請求項７】
コンピュータを請求項５に記載の各手段として機能させる臨時編成における臨時サービス伝送システムの受信側装置の処理プログラム。
【請求項８】
送出側装置と受信側装置を備え、前記送出側装置が、通常編成による通常サービスを構成するデータと臨時編成による臨時サービスを構成するデータとを、通常サービス実施のためのＴＳ（トランスポートストリーム）と臨時サービス実施のためのＴＳとに分離し、前記通常サービス実施のためのＴＳのチャンネル情報が記載されているテーブル中に常に、臨時サービス実施の有無を示す情報を含み、臨時サービスが実施されるチャンネル情報を表す臨時サービス実施通知リンク記述子の情報を埋め込み、前記臨時サービス実施のためのＴＳのチャンネル情報が記載されているテーブル中に、臨時サービス終了時の遷移先チャンネル情報を表す臨時サービス終了時遷移先リンク記述子の情報を埋め込み、伝送する臨時編成における臨時サービス伝送システムの受信側装置であって、
前記通常サービス実施のためのＴＳのチャンネル情報が記載されているテーブルの情報および前記臨時サービス実施のためのＴＳのチャンネル情報が記載されているテーブルの情報が記憶される記憶手段と、
前記送出側装置から送出されたメディアストリームを受信したメディアストリームを入力とし、該メディアストリームから通常サービス実施のためのＴＳのチャンネル情報が記載されているテーブルを取得し、該テーブルが、前記記憶手段に記憶されている通常サービス実施のためのＴＳのチャンネル情報が記載されているテーブルと比べて更新されているか否かを判定し、更新されている場合は、前記メディアストリームから取得したテーブルに、臨時サービス実施有りを示す情報を含む前記臨時サービス実施通知リンク記述子が存在するか否かを判定し、存在するときは臨時サービス選局可能通知を選局手段へ発し、存在しないときは選局可能な臨時サービスがないことの通知を選局手段へ発する処理と、前記メディアストリームから臨時サービス実施のためのＴＳのチャンネル情報が記載されているテーブルを取得し、該テーブルが、前記第２の記憶手段に記憶されている臨時サービス実施のためのＴＳのチャンネル情報が記載されているテーブルと比べて更新されているか否かを判定し、更新されている場合は前記メディアストリームから取得したテーブルに前記臨時サービス終了時遷移先リンク記述子が存在するか否かを判定し、存在するときは臨時サービス終了時の遷移先チャンネル情報を選局手段へ通知し、存在しないときは臨時サービス終了時のチャンネル遷移先がないことの通知を選局手段へ発する処理とを行うＳＩ処理手段とを備え、
前記ＳＩ処理手段の処理終了後に前記メディアストリームを再生手段に出力することを特徴とする臨時編成における臨時サービス伝送システムの受信側装置。
【請求項９】
送出側装置と、通常編成による通常サービス実施のためのＴＳ（トランスポートストリーム）のチャンネル情報が記載されているテーブルの情報および臨時編成による臨時サービス実施のためのＴＳのチャンネル情報が記載されているテーブルの情報が記憶される記憶手段を有した受信側装置を備え、前記送出側装置が、通常サービスを構成するデータと臨時サービスを構成するデータとを、通常サービス実施のためのＴＳと臨時サービス実施のためのＴＳとに分離し、前記通常サービス実施のためのＴＳのチャンネル情報が記載されているテーブル中に常に、臨時サービスの実施の有無を示す情報を含み、臨時サービスが実施されるチャンネル情報を表す臨時サービス実施通知リンク記述子の情報を埋め込み、前記臨時サービス実施のためのＴＳのチャンネル情報が記載されているテーブル中に、臨時サービス終了時の遷移先チャンネル情報を表す臨時サービス終了時遷移先リンク記述子の情報を埋め込み、伝送する臨時編成における臨時サービス伝送システムの受信側装置の処理方法であって、
ＳＩ処理手段が、前記送出側装置から送出されたメディアストリームを受信したメディアストリームを入力し、該メディアストリームから通常サービス実施のためのＴＳのチャンネル情報が記載されているテーブルを取得し、該テーブルが、前記記憶手段に記憶されている通常サービス実施のためのＴＳのチャンネル情報が記載されているテーブルと比べて更新されているか否かを判定する第１の判定ステップと、
前記第１の判定ステップの判定の結果、前記テーブルが更新されている場合に、前記メディアストリームから取得したテーブルに、臨時サービス実施有りを示す情報を含む臨時サービス実施通知リンク記述子が存在するか否かを判定する第２の判定ステップと、
前記第２の判定ステップの判定の結果、前記リンク記述子が存在するときは臨時サービス選局可能通知を選局手段へ発するステップと、
前記第２の判定ステップの判定の結果、前記リンク記述子が存在しないときは選局可能な臨時サービスがないことの通知を選局手段へ発するステップと、
前記第１の判定ステップの判定の結果、前記通常サービス実施のためのＴＳのチャンネル情報が記載されているテーブルが更新された場合に、当該テーブルを前記第２の記憶手段に上書き保持するステップと、
前記メディアストリームから臨時サービス実施のためのＴＳのチャンネル情報が記載されているテーブルを取得し、該テーブルが、前記記憶手段に記憶されている臨時サービス実施のためのＴＳのチャンネル情報が記載されているテーブルと比べて更新されているか否かを判定する第３の判定ステップと、
前記第３の判定ステップの判定の結果、前記テーブルが更新されている場合に、前記メディアストリームから取得したテーブルに前記臨時サービス終了時遷移先リンク記述子が存在するか否かを判定する第４の判定ステップと、
前記第４の判定ステップの判定の結果、前記リンク記述子が存在するときは臨時サービス終了時の遷移先チャンネル情報を選局手段へ通知するステップと、
前記第４の判定ステップの判定の結果、前記リンク記述子が存在しないときは臨時サービス終了時のチャンネル遷移先がないことを選局手段へ通知するステップと、
前記第３の判定ステップの判定結果、前記臨時サービス実施のためのＴＳのチャンネル情報が記載されているテーブルが更新された場合に、当該テーブルを前記第２の記憶手段に上書き保持するステップと、
ＳＩ処理手段で行われる前記処理終了後に、前記メディアストリームを再生手段へ出力するステップとを備えたことを特徴とする臨時編成における臨時サービス伝送システムの受信側装置の処理方法。
【請求項１０】
コンピュータを請求項８に記載の各手段として機能させる臨時編成における臨時サービス伝送システムの受信側装置の処理プログラム。
【発明の詳細な説明】
【技術分野】
【０００１】
本発明は、映像、音声、字幕、データ放送、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）などから構成されるデジタル放送において、臨時編成実施時の臨時サービスを効率よく伝送するための方法に関するものである。
【背景技術】
【０００２】
デジタル放送では、通常の編成サービスはそのままに、そのサービスを構成するデータのビットレートを低減してできた余裕帯域に新たに臨時の編成サービスを設けるための、臨時サービスと呼ばれるサービスが運用される（非特許文献１参照）。臨時サービスは前もって予定されていないサービスであり、具体的には緊急情報の伝送や、番組延長時に継続して番組視聴可能とするためなどに用いられる。
【０００３】
通常サービスが保守や深夜の休止など以外はほぼ常時サービスが行われており、常に選局できるサービスなのに対し、臨時サービスは、ＰＳＩ／ＳＩにて臨時サービスとして指定されるｓｅｒｖｉｃｅ＿ｉｄにより実施され、臨時サービスが行われていないときは、選局できないサービスである。通常はＥＰＧ（Ｅｌｅｃｔｒｉｃ  Ｐｒｏｇｒａｍ  Ｇｕｉｄｅ）上にも表示されず、臨時サービス放送中にのみＥＰＧ上に表示される。また、該当ｓｅｒｖｉｃｅ＿ｉｄ選択中に臨時サービスが終了した際は、通常サービスに自動的に遷移する。
【０００４】
なお、図１に示すように、臨時サービスの開始はＰＡＴ（Ｐｒｏｇｒａｍ  Ａｓｓｏｃｉａｔｉｏｎ  Ｔａｂｌｅ）に臨時サービスのｓｅｒｖｉｃｅ＿ｉｄがｐｒｏｇｒａｍ＿ｎｕｍとして出現することにより認識され、臨時サービスの終了はＰＡＴから臨時サービスのｓｅｒｖｉｃｅ＿ｉｄ（ｐｒｏｇｒａｍ＿ｎｕｍ）が消滅することにより認識される。
【０００５】
現在、ＢＳデジタル放送や地上デジタルテレビジョン放送にて、この臨時サービスが運用されている。
【非特許文献１】「ＢＳ／広帯域ＣＳデジタル放送運用規定」、ＡＲＩＢ  ＴＲ−Ｂ１５  ４．４版、平成２０年６月６日、第７編  ７．３  臨時編成、ｐｐ．７−４０〜７−４２
【発明の開示】
【発明が解決しようとする課題】
【０００６】
従来の臨時サービスの運用は、通常の編成サービスと同一のＴＳ（トランスポートストリーム）にて運用されるだけであるが、通常、ＴＳが伝送される伝送路の帯域が限られているため、臨時サービス実施時には、通常の編成サービスを構成するデータのビットレートを低減する必要がある。そのため、通常の編成サービスにおける品質が低下することとなる。
【０００７】
一方、通常サービスと独立した別のＴＳにて臨時サービスを実施しようとすると、図２に示すように、通常サービス側のＴＳのＰＡＴには臨時サービスのｓｅｒｖｉｃｅ＿ｉｄが出現することがないため、臨時サービスの開始を認識することができず、同等の機能を実現できない。
【０００８】
本発明は上記課題を解決するものであり、その目的は、通常テレビサービスと臨時サービスの別ＴＳでの伝送を可能とし、品質低下を伴わずに同等の機能を実現することができる臨時編成における臨時サービス伝送システム、臨時サービス伝送方法、臨時サービス伝送プログラム、臨時サービス伝送システムの受信側装置、臨時サービス伝送システムの受信側装置の処理方法及びその処理プログラムを提供することにある。
【課題を解決するための手段】
【０００９】
上記課題を解決するための請求項１に記載の臨時編成における臨時サービス伝送システムは、送出側装置と受信側装置を備え、通常編成による通常サービスを構成するデータと臨時編成による臨時サービスを構成するデータとを、通常サービス実施のためのＴＳ（トランスポートストリーム）と臨時サービス実施のためのＴＳとに分離して伝送する臨時編成における臨時サービス伝送システムであって、
前記送出側装置は、前記臨時サービスを識別するための情報を記載したＰＡＴ（プログラムアソシエーションテーブル）が記憶される第１の記憶手段と、メディアストリームを入力とし、該メディアストリーム中の臨時サービス実施のためのＴＳのＰＡＴと、前記第１の記憶手段に記憶されたＰＡＴとを比較し、臨時サービスの開始又は終了を判定し、臨時サービスの開始を判定したときは、臨時サービス実施通知リンク記述子追加処理の開始指令を発信する処理と、前記入力されたメディアストリームを出力する処理とを行うＳＩ編集制御手段と、前記通常サービス実施のためのＴＳのチャンネル情報が記載されているテーブル中に配置する、臨時サ−ビスが実施されるチャンネル情報を表す臨時サービス実施通知リンク記述子の情報と、前記臨時サービス実施のためのＴＳのチャンネル情報が記載されているテーブル中に配置する、臨時サ−ビス終了時の遷移先チャンネル情報を表す臨時サービス終了時遷移先リンク記述子の情報のうち、少なくとも前記臨時サービス実施通知リンク記述子の情報が設定される設定手段と、前記ＳＩ編集制御手段から出力されたメディアストリームを入力とし、前記ＳＩ編集制御手段から発信された臨時サービス実施通知リンク記述子追加処理の開始指令を受信したときに、前記設定手段に設定されている臨時サービス実施通知リンク記述子の情報を、前記メディアストリーム中の前記通常サービス実施のためのＴＳのチャンネル情報が記載されているテーブルに埋め込む処理と、前記設定手段に前記臨時サービス終了時遷移先リンク記述子の情報が設定されている場合に、該情報を前記メディアストリーム中の前記臨時サービスのためのＴＳのチャンネル情報が記載されているテーブルに埋め込む処理と、前記リンク記述子の情報が埋め込まれたメディアストリームを出力する処理とを行うＳＩ編集手段とを備え、前記ＳＩ編集手段から出力されたメディアストリームを送出し、
前記受信側装置は、前記通常サービス実施のためのＴＳのチャンネル情報が記載されているテーブルの情報および前記臨時サービス実施のためのＴＳのチャンネル情報が記載されているテーブルの情報が記憶される第２の記憶手段と、前記送出側装置から送出されたメディアストリームを受信したメディアストリームを入力とし、該メディアストリームから通常サービス実施のためのＴＳのチャンネル情報が記載されているテーブルを取得し、該テーブルが、前記第２の記憶手段に記憶されている通常サービス実施のためのＴＳのチャンネル情報が記載されているテーブルと比べて更新されているか否かを判定し、更新されている場合は、前記メディアストリームから取得したテーブルに前記臨時サービス実施通知リンク記述子が存在するか否かを判定し、存在するときは臨時サービス選局可能通知を選局手段へ発し、存在しないときは選局可能な臨時サービスがないことの通知を選局手段へ発する処理と、前記メディアストリームから臨時サービス実施のためのＴＳのチャンネル情報が記載されているテーブルを取得し、該テーブルが、前記第２の記憶手段に記憶されている臨時サービス実施のためのＴＳのチャンネル情報が記載されているテーブルと比べて更新されているか否かを判定し、更新されている場合は前記メディアストリームから取得したテーブルに前記臨時サービス終了時遷移先リンク記述子が存在するか否かを判定し、存在するときは臨時サービス終了時の遷移先チャンネル情報を選局手段へ通知し、存在しないときは臨時サービス終了時のチャンネル遷移先がないことの通知を選局手段へ発する処理とを行うＳＩ処理手段とを備え、前記ＳＩ処理手段の処理終了後に前記メディアストリームを再生手段に出力することを特徴としている。
【００１０】
また、請求項２に記載の臨時編成における臨時サービス伝送方法は、臨時編成による臨時サービスを識別するための情報を記載したＰＡＴ（プログラムアソシエーションテーブル）が記憶される第１の記憶手段と、通常編成による通常サービス実施のためのＴＳ（トランスポートストリーム）のチャンネル情報が記載されているテーブル中に配置する、臨時サ−ビスが実施されるチャンネル情報を表す臨時サービス実施通知リンク記述子の情報と、臨時編成による臨時サービス実施のためのＴＳのチャンネル情報が記載されているテーブル中に配置する、臨時サ−ビス終了時の遷移先チャンネル情報を表す臨時サービス終了時遷移先リンク記述子の情報のうち、少なくとも前記臨時サービス実施通知リンク記述子の情報が設定される設定手段とを備えた送出側装置と、
前記通常サービス実施のためのＴＳのチャンネル情報が記載されているテーブルの情報および前記臨時サービス実施のためのＴＳのチャンネル情報が記載されているテーブルの情報が記憶される第２の記憶手段を備えた受信側装置とを具備し、
前記通常サービスを構成するデータと臨時サービスを構成するデータとを、通常サービス実施のためのＴＳと臨時サービス実施のためのＴＳとに分離して伝送する臨時編成における臨時サービス伝送方法であって、
前記送出側装置のＳＩ編集制御手段が、メディアストリームを入力し、該メディアストリーム中の臨時サービス実施のためのＴＳのＰＡＴと、前記第１の記憶手段に記憶されたＰＡＴとを比較し、前記メディアストリーム中のＰＡＴが更新されたか否かを判定する第１の判定ステップと、前記第１の判定ステップの判定の結果、前記ＰＡＴが更新された場合に、臨時サービスの開始であるか終了であるかを判定する第２の判定ステップと、前記第２の判定ステップの判定の結果、臨時サービスの開始であると判定したときに、臨時サービス実施通知リンク記述子追加処理の開始指令を発信するステップと、前記第２の判定ステップの判定の結果、臨時サービスの終了であると判定したときに、臨時サービス実施通知リンク記述子追加処理の終了指令を発信するステップと、前記第１の判定ステップの判定の結果、前記ＰＡＴが更新された場合に、当該ＰＡＴを前記第１の記憶手段に上書き保持するステップと、前記メディアストリームを出力するステップと、前記送出側装置のＳＩ編集手段が、前記ＳＩ編集制御手段から出力されたメディアストリームを入力し、前記ＳＩ編集制御手段から発信された臨時サービス実施通知リンク記述子追加処理の開始指令を受信したときに、前記設定手段に設定されている臨時サービス実施通知リンク記述子の情報を、前記メディアストリーム中の前記通常サービス実施のためのＴＳのチャンネル情報が記載されているテーブルに埋め込むステップと、前記設定手段に前記臨時サービス終了時遷移先リンク記述子の情報が設定されている場合に、該情報を前記メディアストリーム中の前記臨時サービスのためのＴＳのチャンネル情報が記載されているテーブルに埋め込むステップと、前記リンク記述子の情報が埋め込まれたメディアストリームを出力するステップと、前記送出側装置の送出手段が、前記ＳＩ編集手段から出力されたメディアストリームを送出するステップと、前記受信側装置のＳＩ処理手段が、前記送出側装置から送出されたメディアストリームを受信したメディアストリームを入力し、該メディアストリームから通常サービス実施のためのＴＳのチャンネル情報が記載されているテーブルを取得し、該テーブルが、前記第２の記憶手段に記憶されている通常サービス実施のためのＴＳのチャンネル情報が記載されているテーブルと比べて更新されているか否かを判定する第１の判定ステップと、前記第１の判定ステップの判定の結果、前記テーブルが更新されている場合に、前記メディアストリームから取得したテーブルに前記臨時サービス実施通知リンク記述子が存在するか否かを判定する第２の判定ステップと、前記第２の判定ステップの判定の結果、前記リンク記述子が存在するときは臨時サービス選局可能通知を選局手段へ発するステップと、前記第２の判定ステップの判定の結果、前記リンク記述子が存在しないときは選局可能な臨時サービスがないことの通知を選局手段へ発するステップと、前記第１の判定ステップの判定の結果、前記通常サービス実施のためのＴＳのチャンネル情報が記載されているテーブルが更新された場合に、当該テーブルを前記第２の記憶手段に上書き保持するステップと、前記メディアストリームから臨時サービス実施のためのＴＳのチャンネル情報が記載されているテーブルを取得し、該テーブルが、前記第２の記憶手段に記憶されている臨時サービス実施のためのＴＳのチャンネル情報が記載されているテーブルと比べて更新されているか否かを判定する第３の判定ステップと、前記第３の判定ステップの判定の結果、前記テーブルが更新されている場合に、前記メディアストリームから取得したテーブルに前記臨時サービス終了時遷移先リンク記述子が存在するか否かを判定する第４の判定ステップと、前記第４の判定ステップの判定の結果、前記リンク記述子が存在するときは臨時サービス終了時の遷移先チャンネル情報を選局手段へ通知するステップと、前記第４の判定ステップの判定の結果、前記リンク記述子が存在しないときは臨時サービス終了時のチャンネル遷移先がないことを選局手段へ通知するステップと、前記第３の判定ステップの判定結果、前記臨時サービス実施のためのＴＳのチャンネル情報が記載されているテーブルが更新された場合に、当該テーブルを前記第２の記憶手段に上書き保持するステップと、ＳＩ処理手段で行われる前記処理終了後に、前記メディアストリームを再生手段へ出力するステップとを備えたことを特徴としている。
【００１１】
また、請求項３に記載の臨時編成における臨時サービス伝送プログラムは、コンピュータを請求項１に記載の各手段として機能させる臨時編成における臨時サービス伝送プログラムである。
【００１２】
また、請求項４に記載の臨時編成における臨時サービス伝送システムの受信側装置は、送出側装置と受信側装置を備え、通常編成による通常サービスを構成するデータと臨時編成による臨時サービスを構成するデータとを、通常サービス実施のためのＴＳ（トランスポートストリーム）と臨時サービス実施のためのＴＳとに分離して伝送する臨時編成における臨時サービス伝送システムの受信側装置であって、
前記送出側装置から送出されたメディアストリームを受信する受信手段と、前記受信手段により受信されたメディアストリームを入力とし、該メディアストリーム中の通常サービス実施のためのＴＳのチャンネル情報が記載されているテーブルおよび臨時サービス実施のためのＴＳのチャンネル情報が記載されているテーブルと、記憶手段に記憶された前記テーブルに基づいて、臨時サービス選局可能通知又は選局可能な臨時サービスがないことの通知を発し、前記メディアストリームを出力するＳＩ処理手段と、前記ＳＩ処理手段から出力されたメディアストリームを再生し、臨時サービス終了通知を出力する再生手段と、前記ＳＩ処理手段から発せられた臨時サービス選局可能通知又は選局可能な臨時サービスがないことの通知、および前記再生手段から出力された臨時サービス終了通知を入力とし、前記受信手段に対して選局指示を出力する選局手段とを備えたことを特徴としている。
【００１３】
また、請求項５に記載の臨時編成における臨時サービス伝送システムの受信側装置は、送出側装置と受信側装置を備え、前記送出側装置が、通常編成による通常サービスを構成するデータと臨時編成による臨時サービスを構成するデータとを、通常サービス実施のためのＴＳ（トランスポートストリーム）と臨時サービス実施のためのＴＳとに分離し、前記通常サービス実施のためのＴＳのチャンネル情報が記載されているテーブル中に、臨時サービスの開始、終了にあわせて、臨時サービスが実施されるチャンネル情報を表す臨時サービス実施通知リンク記述子の情報を埋め込み、前記臨時サービス実施のためのＴＳのチャンネル情報が記載されているテーブル中に、臨時サービス終了時の遷移先チャンネル情報を表す臨時サービス終了時遷移先リンク記述子の情報を埋め込み、伝送する臨時編成における臨時サービス伝送システムの受信側装置であって、
前記通常サービス実施のためのＴＳのチャンネル情報が記載されているテーブルの情報および前記臨時サービス実施のためのＴＳのチャンネル情報が記載されているテーブルの情報が記憶される記憶手段と、前記送出側装置から送出されたメディアストリームを受信したメディアストリームを入力とし、該メディアストリームから通常サービス実施のためのＴＳのチャンネル情報が記載されているテーブルを取得し、該テーブルが、前記記憶手段に記憶されている通常サービス実施のためのＴＳのチャンネル情報が記載されているテーブルと比べて更新されているか否かを判定し、更新されている場合は、前記メディアストリームから取得したテーブルに前記臨時サービス実施通知リンク記述子が存在するか否かを判定し、存在するときは臨時サービス選局可能通知を選局手段へ発し、存在しないときは選局可能な臨時サービスがないことの通知を選局手段へ発する処理と、前記メディアストリームから臨時サービス実施のためのＴＳのチャンネル情報が記載されているテーブルを取得し、該テーブルが、前記記憶手段に記憶されている臨時サービス実施のためのＴＳのチャンネル情報が記載されているテーブルと比べて更新されているか否かを判定し、更新されている場合は前記メディアストリームから取得したテーブルに前記臨時サービス終了時遷移先リンク記述子が存在するか否かを判定し、存在するときは臨時サービス終了時の遷移先チャンネル情報を選局手段へ通知し、存在しないときは臨時サービス終了時のチャンネル遷移先がないことの通知を選局手段へ発する処理とを行うＳＩ処理手段とを備え、前記ＳＩ処理手段の処理終了後に前記メディアストリームを再生手段に出力することを特徴としている。
【００１４】
また、請求項６に記載の臨時編成における臨時サービス伝送システムの受信側装置の処理方法は、送出側装置と、通常編成による通常サービス実施のためのＴＳ（トランスポートストリーム）のチャンネル情報が記載されているテーブルの情報および臨時編成による臨時サービス実施のためのＴＳのチャンネル情報が記載されているテーブルの情報が記憶される記憶手段を有した受信側装置を備え、前記送出側装置が、通常サービスを構成するデータと臨時サービスを構成するデータとを、通常サービス実施のためのＴＳと臨時サービス実施のためのＴＳとに分離し、前記通常サービス実施のためのＴＳのチャンネル情報が記載されているテーブル中に、臨時サービスの開始、終了にあわせて、臨時サービスが実施されるチャンネル情報を表す臨時サービス実施通知リンク記述子の情報を埋め込み、前記臨時サービス実施のためのＴＳのチャンネル情報が記載されているテーブル中に、臨時サービス終了時の遷移先チャンネル情報を表す臨時サービス終了時遷移先リンク記述子の情報を埋め込み、伝送する臨時編成における臨時サービス伝送システムの受信側装置の処理方法であって、
ＳＩ処理手段が、前記送出側装置から送出されたメディアストリームを受信したメディアストリームを入力し、該メディアストリームから通常サービス実施のためのＴＳのチャンネル情報が記載されているテーブルを取得し、該テーブルが、前記記憶手段に記憶されている通常サービス実施のためのＴＳのチャンネル情報が記載されているテーブルと比べて更新されているか否かを判定する第１の判定ステップと、前記第１の判定ステップの判定の結果、前記テーブルが更新されている場合に、前記メディアストリームから取得したテーブルに前記臨時サービス実施通知リンク記述子が存在するか否かを判定する第２の判定ステップと、前記第２の判定ステップの判定の結果、前記リンク記述子が存在するときは臨時サービス選局可能通知を選局手段へ発するステップと、前記第２の判定ステップの判定の結果、前記リンク記述子が存在しないときは選局可能な臨時サービスがないことの通知を選局手段へ発するステップと、前記第１の判定ステップの判定の結果、前記通常サービス実施のためのＴＳのチャンネル情報が記載されているテーブルが更新された場合に、当該テーブルを前記第２の記憶手段に上書き保持するステップと、前記メディアストリームから臨時サービス実施のためのＴＳのチャンネル情報が記載されているテーブルを取得し、該テーブルが、前記記憶手段に記憶されている臨時サービス実施のためのＴＳのチャンネル情報が記載されているテーブルと比べて更新されているか否かを判定する第３の判定ステップと、前記第３の判定ステップの判定の結果、前記テーブルが更新されている場合に、前記メディアストリームから取得したテーブルに前記臨時サービス終了時遷移先リンク記述子が存在するか否かを判定する第４の判定ステップと、前記第４の判定ステップの判定の結果、前記リンク記述子が存在するときは臨時サービス終了時の遷移先チャンネル情報を選局手段へ通知するステップと、前記第４の判定ステップの判定の結果、前記リンク記述子が存在しないときは臨時サービス終了時のチャンネル遷移先がないことを選局手段へ通知するステップと、前記第３の判定ステップの判定結果、前記臨時サービス実施のためのＴＳのチャンネル情報が記載されているテーブルが更新された場合に、当該テーブルを前記第２の記憶手段に上書き保持するステップと、ＳＩ処理手段で行われる前記処理終了後に、前記メディアストリームを再生手段へ出力するステップとを備えたことを特徴としている。
【００１５】
また、請求項７に記載の臨時編成における臨時サービス伝送システムの受信側装置の処理プログラムは、コンピュータを請求項５に記載の各手段として機能させる臨時編成における臨時サービス伝送システムの受信側装置の処理プログラムである。
【００１６】
また、請求項８に記載の臨時編成における臨時サービス伝送システムの受信側装置は、送出側装置と受信側装置を備え、前記送出側装置が、通常編成による通常サービスを構成するデータと臨時編成による臨時サービスを構成するデータとを、通常サービス実施のためのＴＳ（トランスポートストリーム）と臨時サービス実施のためのＴＳとに分離し、前記通常サービス実施のためのＴＳのチャンネル情報が記載されているテーブル中に常に、臨時サービス実施の有無を示す情報を含み、臨時サービスが実施されるチャンネル情報を表す臨時サービス実施通知リンク記述子の情報を埋め込み、前記臨時サービス実施のためのＴＳのチャンネル情報が記載されているテーブル中に、臨時サービス終了時の遷移先チャンネル情報を表す臨時サービス終了時遷移先リンク記述子の情報を埋め込み、伝送する臨時編成における臨時サービス伝送システムの受信側装置であって、
前記通常サービス実施のためのＴＳのチャンネル情報が記載されているテーブルの情報および前記臨時サービス実施のためのＴＳのチャンネル情報が記載されているテーブルの情報が記憶される記憶手段と、前記送出側装置から送出されたメディアストリームを受信したメディアストリームを入力とし、該メディアストリームから通常サービス実施のためのＴＳのチャンネル情報が記載されているテーブルを取得し、該テーブルが、前記記憶手段に記憶されている通常サービス実施のためのＴＳのチャンネル情報が記載されているテーブルと比べて更新されているか否かを判定し、更新されている場合は、前記メディアストリームから取得したテーブルに、臨時サービス実施有りを示す情報を含む前記臨時サービス実施通知リンク記述子が存在するか否かを判定し、存在するときは臨時サービス選局可能通知を選局手段へ発し、存在しないときは選局可能な臨時サービスがないことの通知を選局手段へ発する処理と、前記メディアストリームから臨時サービス実施のためのＴＳのチャンネル情報が記載されているテーブルを取得し、該テーブルが、前記第２の記憶手段に記憶されている臨時サービス実施のためのＴＳのチャンネル情報が記載されているテーブルと比べて更新されているか否かを判定し、更新されている場合は前記メディアストリームから取得したテーブルに前記臨時サービス終了時遷移先リンク記述子が存在するか否かを判定し、存在するときは臨時サービス終了時の遷移先チャンネル情報を選局手段へ通知し、存在しないときは臨時サービス終了時のチャンネル遷移先がないことの通知を選局手段へ発する処理とを行うＳＩ処理手段とを備え、前記ＳＩ処理手段の処理終了後に前記メディアストリームを再生手段に出力することを特徴としている。
【００１７】
また、請求項９に記載の臨時編成における臨時サービス伝送システムの受信側装置の処理方法は、送出側装置と、通常編成による通常サービス実施のためのＴＳ（トランスポートストリーム）のチャンネル情報が記載されているテーブルの情報および臨時編成による臨時サービス実施のためのＴＳのチャンネル情報が記載されているテーブルの情報が記憶される記憶手段を有した受信側装置を備え、前記送出側装置が、通常サービスを構成するデータと臨時サービスを構成するデータとを、通常サービス実施のためのＴＳと臨時サービス実施のためのＴＳとに分離し、前記通常サービス実施のためのＴＳのチャンネル情報が記載されているテーブル中に常に、臨時サービスの実施の有無を示す情報を含み、臨時サービスが実施されるチャンネル情報を表す臨時サービス実施通知リンク記述子の情報を埋め込み、前記臨時サービス実施のためのＴＳのチャンネル情報が記載されているテーブル中に、臨時サービス終了時の遷移先チャンネル情報を表す臨時サービス終了時遷移先リンク記述子の情報を埋め込み、伝送する臨時編成における臨時サービス伝送システムの受信側装置の処理方法であって、
ＳＩ処理手段が、前記送出側装置から送出されたメディアストリームを受信したメディアストリームを入力し、該メディアストリームから通常サービス実施のためのＴＳのチャンネル情報が記載されているテーブルを取得し、該テーブルが、前記記憶手段に記憶されている通常サービス実施のためのＴＳのチャンネル情報が記載されているテーブルと比べて更新されているか否かを判定する第１の判定ステップと、前記第１の判定ステップの判定の結果、前記テーブルが更新されている場合に、前記メディアストリームから取得したテーブルに、臨時サービス実施有りを示す情報を含む臨時サービス実施通知リンク記述子が存在するか否かを判定する第２の判定ステップと、前記第２の判定ステップの判定の結果、前記リンク記述子が存在するときは臨時サービス選局可能通知を選局手段へ発するステップと、前記第２の判定ステップの判定の結果、前記リンク記述子が存在しないときは選局可能な臨時サービスがないことの通知を選局手段へ発するステップと、前記第１の判定ステップの判定の結果、前記通常サービス実施のためのＴＳのチャンネル情報が記載されているテーブルが更新された場合に、当該テーブルを前記第２の記憶手段に上書き保持するステップと、前記メディアストリームから臨時サービス実施のためのＴＳのチャンネル情報が記載されているテーブルを取得し、該テーブルが、前記記憶手段に記憶されている臨時サービス実施のためのＴＳのチャンネル情報が記載されているテーブルと比べて更新されているか否かを判定する第３の判定ステップと、前記第３の判定ステップの判定の結果、前記テーブルが更新されている場合に、前記メディアストリームから取得したテーブルに前記臨時サービス終了時遷移先リンク記述子が存在するか否かを判定する第４の判定ステップと、前記第４の判定ステップの判定の結果、前記リンク記述子が存在するときは臨時サービス終了時の遷移先チャンネル情報を選局手段へ通知するステップと、前記第４の判定ステップの判定の結果、前記リンク記述子が存在しないときは臨時サービス終了時のチャンネル遷移先がないことを選局手段へ通知するステップと、前記第３の判定ステップの判定結果、前記臨時サービス実施のためのＴＳのチャンネル情報が記載されているテーブルが更新された場合に、当該テーブルを前記第２の記憶手段に上書き保持するステップと、ＳＩ処理手段で行われる前記処理終了後に、前記メディアストリームを再生手段へ出力するステップとを備えたことを特徴としている。
【００１８】
また、請求項１０に記載の臨時編成における臨時サービス伝送システムの受信側装置の処理プログラムは、コンピュータを請求項８に記載の各手段として機能させる臨時編成における臨時サービス伝送システムの受信側装置の処理プログラムである。
【発明の効果】
【００１９】
本発明によれば、デジタル放送における臨時サービスの運用において、通常テレビサービスと臨時サービスの別ＴＳでの伝送を可能とし、品質低下を伴わずに同等の機能を実現することができる。
【発明を実施するための最良の形態】
【００２０】
以下、図面を参照しながら本発明の実施の形態を説明するが、本発明は下記の実施形態例に限定されるものではない。本発明は、映像、音声、字幕、データ放送、ＰＳＩ／ＳＩなどから構成されるデジタル放送において、図３に示すＳＩのＳＤＴ（Ｓｅｒｖｉｃｅ  Ｄｅｓｃｒｉｐｔｉｏｎ  Ｔａｂｌｅ；チャンネル情報が記載されているテーブル）を用いる。通常サービスのＴＳ（つまり、通常サービスが実施されているＴＳ）のＳＤＴ中には、臨時サービスが運用されるチャンネルを示すリンク記述子（臨時サービス実施通知リンク記述子）を配置し、臨時サービスのＴＳ（つまり、臨時サービスが実施されているＴＳ）のＳＤＴ中には、臨時サービス終了時に遷移するチャンネルを示すリンク記述子（臨時サービス終了時遷移先リンク記述子）を配置する。
【００２１】
また、本発明で用いる、リンク記述子のフィールドを図４に示す。リンク記述子中のｌｉｎｋａｇｅ＿ｔｙｐｅはリンク記述子のリンク種別として、当該リンク記述子が臨時サービス実施通知リンク記述子もしくは臨時サービス終了時遷移先リンク記述子のいずれであるかを判断する情報を示すものとして、それぞれ送信側・受信側にて同一の値を規定する。ｔｒａｎｓｐｏｒｔ＿ｓｔｒｅａｍ＿ｉｄ，ｏｒｉｇｉｎａｌ＿ｎｅｔｗｏｒｋ＿ｉｄ，ｓｅｒｖｉｃｅ＿ｉｄは臨時サービスが運用されるチャンネル情報もしくは臨時サービス終了時に遷移するチャンネル情報を示す（以下、それぞれ臨時サービス実施チャンネル情報及び臨時サービス終了時遷移先チャンネル情報とする）。
【００２２】
本発明では、図５に示すように、通常サービスと臨時サービスを各々別のＴＳにて伝送する。臨時サービス実施通知リンク記述子が通常サービスのＴＳのＳＤＴ中に出現することにより、当該ＴＳに関連した臨時サービスが実施されていることを示すこととする。なお、臨時サービス終了時の遷移先は、臨時サービス実施通知リンク記述子が配置されたＳＤＴが対応するＴＳのいずれかのサービス、もしくは臨時サービスのＴＳのＳＤＴに臨時サービス終了時遷移先リンク記述子が配置されている場合には、臨時サービス終了時遷移先チャンネル情報で指定されるサービスとする。
【００２３】
なお、上記のように、臨時サービス実施通知リンク記述子が通常サービスのＴＳのＳＤＴ中に出現することで臨時サービスの実施を示す場合以外にも、図６に示すように、臨時サービス実施通知リンク記述子を常にＳＤＴ中に配置し、ｐｒｉｖａｔｅ＿ｄａｔｅ＿ｂｙｔｅにて臨時サービス実施有無を示す（臨時サービスが実施されている際には臨時サービス実施有りを示す値をとり、臨時サービスが実施されていない際には臨時サービス実施無しを示す値をとる）フラグを配置する場合もある。この場合のリンク記述子のフィールドを図７に示す。
【００２４】
また、上記のようにＳＤＴ中に臨時サービス実施通知リンク記述子及び臨時サービス終了時遷移先リンク記述子を追加する場合以外にも、図８及び図９に示すように、ＮＩＴ（ネットワークインフォメーションテーブル）中のＴＳループにて、通常サービスが実施されるＴＳのＴＳ＿ｉｄに該当する部分に臨時サービス実施通知リンク記述子を、臨時サービスが実施されるＴＳのＴＳ＿ｉｄに該当する部分に臨時サービス終了時遷移先リンク記述子を、それぞれ追加する場合もある。図８は前記図５の臨時サービスの開始・終了にあわせて前記リンク記述子を配置する方式に対応し、図９は前記図６の常時配置方式に対応している。
【００２５】
まず、図５のように、臨時サービス実施通知リンク記述子が通常サービスのＴＳのＳＤＴ中に出現することで臨時サービスの実施を示す場合について述べる。
【００２６】
図１０に本実施形態例の臨時編成における臨時サービス伝送システム全体の機能ブロック図を示す。図１０において、１００は送出側装置、２００は受信側装置、３００は送出側装置１００と受信側装置２００を結ぶデジタル放送網である。
【００２７】
送出側装置１００内の１０１は番組コンテンツであり、１０２は番組コンテンツ１０１を再生する再生手段の再生機能を示している。１０３は放送波を受信するアンテナであり、１０４はアンテナ１０３で受信された放送波をデジタル信号に変換するチューナーである。
【００２８】
１０５は、再生機能１０２またはチューナー１０３から出力されたメディアストリームに対して臨時サービスが実施されているか否かを確認し、ＳＤＴの編集指示を出すＳＩ編集制御手段が行う、後述のＳＩ編集制御機能を示している。
【００２９】
１０６は、臨時サービスを識別するための情報（臨時サービスのｓｅｒｖｉｃｅ＿ｉｄ）を記載したＰＡＴ（プログラムアソシエーションテーブル）が記憶される記憶部（第１の記憶手段）である。
【００３０】
１０７は、ＳＩ編集制御機能１０５から入力されたメディアストリームに対して、少なくとも臨時サービス実施通知リンク記述子の情報を埋め込むＳＩ編集手段が行う、後述のＳＩ編集機能を示している。
【００３１】
１０８は、前記メディアストリームに埋め込むための臨時サービス実施通知リンク記述子の情報および臨時サービス終了時遷移先リンク記述子の情報が設定された設定手段の設定値を示している。
【００３２】
１０９は、前記ＳＩ編集機能１０７から出力された、少なくとも臨時サービス実施通知リンク記述子が埋め込まれたメディアストリームをデジタル放送網３００へ送出する送出手段が行う送出機能を示している。
【００３３】
２０１は受信側装置２００内の選局手段が行う選局機能を示している。２０２は、送出側装置１００から送出され、選局機能２０１により選局されたチャンネルのメディアストリームを受信する受信手段の受信機能を示している。
【００３４】
２０３は、受信機能２０２により受信されたメディアストリームに対してＳＩ処理手段が行う、後述のＳＩ処理機能を示している。２０４は、通常サービス実施のためのＴＳのＳＤＴ情報および臨時サービス実施のためのＴＳのＳＤＴ情報が記憶されている記憶部（第２の記憶手段）である。
【００３５】
２０５は、前記ＳＩ処理機能２０３から出力されたメディアストリームを再生する再生手段の再生機能を示している。
【００３６】
次に、送出側装置１００の機能ブロック毎の処理フローを説明する。  
【００３７】
再生機能１０２は番組コンテンツ１０１を再生し、ＳＩ編集制御機能１０５へメディアストリームを出力する。または、アンテナ１０３は放送波を受信し、チューナー１０４に放送波を出力し、チューナー１０４は入力された放送波をデジタル信号へ変換してメディアストリームとしてＳＩ編集制御機能１０５へ出力する。
【００３８】
記憶部１０６には、事前に臨時サービスが実施されるＴＳのＰＡＴの情報を設定（記憶）しておく。設定される値は、手動で静的に入力する場合と、入力されるメディアストリーム中の臨時サービスのＴＳのＰＡＴを事前に抽出し、設定する場合がある。なお、入力されるメディアストリーム中の臨時サービスのＴＳのＰＡＴを事前に抽出して記憶部１０６に設定する場合、ＳＩ編集制御機能１０５が、入力されるメディアストリーム中の臨時サービスのＴＳのＰＡＴを事前に抽出して記憶部１０６に設定する処理を実施しても良い。
【００３９】
ＳＩ編集制御機能１０５では、入力されたメディアストリームに対して臨時サービスが実施されているかどうかを確認し、ＳＩ編集機能１０７に対してＳＤＴの編集指示を行う。ＳＩ編集制御機能１０５の処理フロー例を図１１に示す。尚、以下で説明する図１１〜図１５のフローチャートにおいて、「Ｓ」は各処理のステップを示すものとする。
【００４０】
Ｓ１１０１：再生機能１０２もしくはチューナー１０４からメディアストリームの入力を受け、Ｓ１１０２へ進む。
【００４１】
Ｓ１１０２：Ｓ１１０１にて入力されたメディアストリームより臨時サービスのＴＳのＰＡＴを抽出し、記憶部１０６に保持されているＰＡＴとの比較を行う。メディアストリームから取得したＰＡＴが更新されている場合には（臨時サービス運用状況に変化がある可能性がある場合には）Ｓ１１０３へ、更新されていない場合にはＳ１１０８へ進む。
【００４２】
Ｓ１１０３：Ｓ１１０２にて取得した臨時サービスのＴＳのＰＡＴと記憶部１０６に保持されているＰＡＴの比較を行い、臨時サービスの開始を検知した（Ｓ１１０２にて取得した臨時サービスのＴＳのＰＡＴに、記憶部１０６に記憶されているＰＡＴには記載されていない臨時サービスのｓｅｒｖｉｃｅ＿ｉｄが新たに出現したことを検知した）場合はＳ１１０４へ、それ以外の場合にはＳ１１０５へ進む。
【００４３】
Ｓ１１０４：ＳＩ編集機能１０７へ、通常サービスのＴＳへの臨時サービス実施通知リンク記述子の追加処理を開始することを指示し、Ｓ１１０７へ進む。
【００４４】
Ｓ１１０５：Ｓ１１０２にて取得した臨時サービスのＴＳのＰＡＴと記憶部１０６に保持されているＰＡＴの比較を行い、臨時サービスの終了を検知した（臨時サービスのｓｅｒｖｉｃｅ＿ｉｄが消滅したことを検知した、つまり、記憶部１０６に記憶されているＰＡＴに記載されている臨時サービスのｓｅｒｖｉｃｅ＿ｉｄの中で、Ｓ１１０２にて取得した臨時サービスのＴＳのＰＡＴには記載されていないｓｅｒｖｉｃｅ＿ｉｄがあることを検知した）場合はＳ１１０６へ、それ以外の場合にはＳ１１０７へ進む。
【００４５】
Ｓ１１０６：ＳＩ編集機能１０７へ、通常サービスのＴＳへの臨時サービス実施通知リンク記述子の追加処理を終了することを指示し、Ｓ１１０７へ進む。
【００４６】
Ｓ１１０７：Ｓ１１０２にて取得した臨時サービスのＴＳのＰＡＴを、記憶部１０６に保持する（既存の記憶部１０６に保持されているＰＡＴに上書きする）。
【００４７】
Ｓ１１０８：Ｓ１１０１にて入力されたメディアストリームを、ＳＩ編集機能１０７へ出力する。
【００４８】
設定値１０８には事前に、通常サービスのＴＳのＳＤＴに配置する臨時サービス実施通知リンク記述子の情報を設定しておく。設定される値は、手動で静的に入力する場合と、入力されるメディアストリーム中の臨時サービスのＴＳのＳＤＴからＴＳ＿ｉｄを取得し、設定する場合がある。また、臨時サービス終了時の遷移先を指定する場合には、臨時サービスのＳＤＴに配置する臨時サービス終了時遷移先リンク記述子の情報も設定しておく。設定される値は、手動で静的に入力する場合と、入力されるメディアストリーム中の通常サービスのＴＳのＳＤＴからＴＳ＿ｉｄを取得し、設定する場合がある。なお、臨時サービス終了時の遷移先を指定しない場合には、臨時サービス終了時遷移先リンク記述子の情報は設定しない。
【００４９】
ＳＩ編集機能１０７では、ＳＩ編集制御機能１０５から入力されたメディアストリームに対して、設定値１０８に設定されているＳＤＴの設定値を埋め込み、送出機能１０９へ出力する。ＳＩ編集機能１０７の処理フロー例を図１２に示す。
【００５０】
Ｓ１２０１：ＳＩ編集制御機能１０５からメディアストリームの入力を受け、Ｓ１２０２へ進む。
【００５１】
Ｓ１２０２：通常サービスのＴＳへの臨時サービス実施通知リンク記述子の追加処理が開始している（ＳＩ編集制御機能１０５から、通常サービスのＴＳへの臨時サービス実施通知リンク記述子の追加処理を開始することが指示されており、通常サービスのＴＳへの臨時サービス実施通知リンク記述子の追加処理を終了することが指示されていない）場合にはＳ１２０３へ、そうでない場合にはＳ１２０４へ進む。
【００５２】
Ｓ１２０３：Ｓ１２０１にて入力されたメディアストリーム中の通常サービスのＴＳのＳＤＴに、設定値１０８に設定されている臨時サービス実施通知リンク記述子の情報を埋め込み、Ｓ１２０４へ進む。
【００５３】
Ｓ１２０４：設定値１０８に臨時サービス終了時遷移先リンク記述子の情報が設定されている場合にはＳ１２０５へ、そうでない場合にはＳ１２０６へ進む。
【００５４】
Ｓ１２０５：Ｓ１２０１にて入力されたメディアストリーム中の臨時サービスのＴＳのＳＤＴに、設定値１０８に設定されている臨時サービス終了時遷移先リンク記述子の情報を埋め込み、Ｓ１２０６へ進む。
【００５５】
Ｓ１２０６：送出機能１０９へメディアストリームを出力する。
【００５６】
次に、図６のように、臨時サービス実施通知リンク記述子を常にＳＤＴ中に配置し、ｐｒｉｖａｔｅ＿ｄａｔａ＿ｂｙｔｅにて臨時サービス実施有無を示すフラグを配置する場合のＳＩ編集機能の処理フロー例を図１３に示す。
【００５７】
Ｓ１３０１：ＳＩ編集制御機能１０５からメディアストリームの入力を受け、Ｓ１３０２へ進む。
【００５８】
Ｓ１３０２：通常サービスのＴＳへの臨時サービス実施通知リンク記述子の追加処理が開始している（ＳＩ編集制御機能１０５から、通常サービスのＴＳへの臨時サービス実施通知リンク記述子の追加処理を開始することが指示されており、通常サービスのＴＳへの臨時サービス実施通知リンク記述子の追加処理を終了することが指示されていない）場合にはＳ１３０３へ、そうでない場合にはＳ１３０４へ進む。
【００５９】
Ｓ１３０３：Ｓ１３０１にて入力されたメディアストリーム中の通常サービスのＴＳのＳＤＴに、設定値１０８に設定されている臨時サービス実施通知リンク記述子の情報を、ｐｒｉｖａｔｅ＿ｄａｔａ＿ｂｙｔｅを臨時サービス実施有りを示す値に設定し、埋め込み、Ｓ１３０５へ進む。
【００６０】
Ｓ１３０４：Ｓ１３０１にて入力されたメディアストリーム中の通常サービスのＴＳのＳＤＴに、設定値１０８に設定されている臨時サービス実施通知リンク記述子の情報を、ｐｒｉｖａｔｅ＿ｄａｔａ＿ｂｙｔｅを臨時サービス実施無しを示す値に設定し、埋め込み、Ｓ１３０５へ進む。
【００６１】
Ｓ１３０５：設定値１０８に臨時サービス終了時遷移先リンク記述子の情報が設定されている場合にはＳ１３０６へ、そうでない場合にはＳ１３０７へ進む。
【００６２】
Ｓ１３０６：Ｓ１３０１にて入力されたメディアストリーム中の臨時サービスのＴＳのＳＤＴに、設定値１０８に設定されている臨時サービス終了時遷移先リンク記述子の情報を埋め込み、Ｓ１３０７へ進む。
【００６３】
Ｓ１３０７：送出機能１０９へメディアストリームを出力する。
【００６４】
送出機能１０９は、入力されたメディアストリームをデジタル放送網３００へ出力する。
【００６５】
次に受信側装置２００の機能ブロック毎の処理フローを説明する。  
【００６６】
選局機能２０１は受信機能（２０２）に対して、指定されたチャンネルを受信するよう通知する。また、ＳＩ処理機能２０３から通知される、臨時サービスの選局可否や、臨時サービス終了時の戻り先（臨時サービス実施通知リンク記述子が配置されたＳＤＴが対応するＴＳのいずれかのサービス、もしくは臨時サービスのＴＳのＳＤＴに臨時サービス終了時遷移先リンク記述子が配置されている場合には、臨時サービス終了時遷移先チャンネル情報で指定されるサービス）を保持する。臨時サービスの選局が可能でない場合には、該当の臨時サービスが選局された際にスキップ処理を行う。また、再生機能２０５から臨時サービス終了通知を受けた際には、臨時サービス終了時の戻り先への自動選局を行う。
【００６７】
受信機能２０２はデジタル放送網３００から、選局機能２０１にて指定されたチャンネルのメディアストリームを受信し、ＳＩ処理機能２０３へ出力する。
【００６８】
記憶部２０４には、事前に通常サービスのＴＳのＳＤＴの情報及び臨時サービスのＴＳのＳＤＴの情報を設定（記憶）しておく。設定される値は、手動で静的に入力する場合と、入力されるメディアストリーム中の通常サービスのＴＳのＳＤＴ及び臨時サービスのＴＳのＳＤＴを事前に抽出し、設定する場合がある。
【００６９】
ＳＩ処理機能２０３は受信機能２０２から入力されたメディアストリームよりＳＤＴを抽出し、臨時サービス実施通知リンク記述子の有無を確認し、選局機能２０１へ臨時サービス選局可否を通知する。また、臨時サービス終了時遷移先リンク記述子の有無を確認し、選局機能２０１へ臨時サービス終了時の遷移先を通知し、メディアストリームを再生機能２０５へ出力する。ＳＩ処理機能２０３の処理フロー例を図１４に示す。
【００７０】
Ｓ１４０１：受信機能２０２からメディアストリームの入力を受け、Ｓ１４０２へ進む。
【００７１】
Ｓ１４０２：Ｓ１４０１にて入力されたメディアストリームより通常サービスのＴＳのＳＤＴを抽出し、記憶部２０４に保持されている通常サービスのＴＳのＳＤＴとの比較を行う。メディアストリームから取得したＳＤＴが更新されている場合にはＳ１４０３へ、更新されていない場合にはＳ１４０７へ進む。
【００７２】
Ｓ１４０３：Ｓ１４０２にて取得した通常サービスのＴＳのＳＤＴにおける臨時サービス実施通知リンク記述子の配置有無を確認する。臨時サービス実施通知リンク記述子が配置されている場合はＳ１４０４へ、配置されていない場合はＳ１４０５へ進む。
【００７３】
Ｓ１４０４：選局機能２０１へ、臨時サービス実施チャンネル情報（図４のリンク記述子の、臨時サービスが実施されるｔｒａｎｓｐｏｒｔ＿ｓｔｒｅａｍ＿ｉｄ、ｏｒｉｇｉｎａｌ＿ｎｅｔｗｏｒｋ＿ｉｄ、ｓｅｒｖｉｃｅ＿ｉｄ）に記載の臨時サービスが視聴可能であることを、Ｓ１４０２にて取得した通常サービスのＴＳのＳＤＴ中に記載されるＴＳ＿ｉｄとともに通知し、Ｓ１４０６へ進む。
【００７４】
Ｓ１４０５：選局機能２０１へ、選局可能な臨時サービスがないことを通知し、Ｓ１４０６へ進む。
【００７５】
Ｓ１４０６：Ｓ１４０２にて取得した通常サービスのＴＳのＳＤＴを、記憶部２０４に保持（既存の記憶部に保持されている通常サービスのＴＳのＳＤＴに上書きする）し、Ｓ１４０７へ進む。
【００７６】
Ｓ１４０７：Ｓ１４０１にて入力されたメディアストリームより臨時サービスのＴＳのＳＤＴを抽出し、記憶部に保持されている臨時サービスのＴＳのＳＤＴとの比較を行う。メディアストリームから取得したＳＤＴが更新されている場合にはＳ１４０８へ、更新されていない場合にはＳ１４１２へ進む。
【００７７】
Ｓ１４０８：Ｓ１４０７にて取得した臨時サービスのＴＳのＳＤＴにおける臨時サービス終了時遷移先リンク記述子の配置有無を確認する。臨時サービス終了時遷移先リンク記述子が配置されている場合はＳ１４０９へ、配置されていない場合はＳ１４１０へ進む。
【００７８】
Ｓ１４０９：選局機能２０１へ、該当の臨時サービスが終了時に遷移する先が指定されていることを、Ｓ１４０８で確認した臨時サービス終了時遷移先リンク記述子中の臨時サービス終了時遷移先チャンネル情報（図４のリンク記述子の、臨時サービス終了時の遷移先ｔｒａｎｓｐｏｒｔ＿ｓｔｒｅａｍ＿ｉｄ、ｏｒｉｇｉｎａｌ＿ｎｅｔｗｏｒｋ＿ｉｄ、ｓｅｒｖｉｃｅ＿ｉｄ）とともに通知し、Ｓ１４１１へ進む。
【００７９】
Ｓ１４１０：選局機能２０１へ、Ｓ１４０７にて取得した臨時サービスのＴＳのＳＤＴ中に記載されるＴＳ＿ｉｄのＴＳ中にて実施される臨時サービスの終了時に遷移する先が指定されていないことを通知し、Ｓ１４１１へ進む。
【００８０】
Ｓ１４１１：Ｓ１４０７にて取得した臨時サービスのＴＳのＳＤＴを、記憶部２０４に保持する（既存の記憶部２０４に保持されている臨時サービスのＴＳのＳＤＴに上書きする）。
【００８１】
Ｓ１４１２：再生機能２０５へメディアストリームを出力する。
【００８２】
次に、臨時サービス実施通知リンク記述子を常にＳＤＴ中に配置し、ｐｒｉｖａｔｅ＿ｄａｔａ＿ｂｙｔｅにて臨時サービス実施有無を示すフラグを配置する場合のＳＩ処理機能の処理フロー例を図１５に示す。
【００８３】
Ｓ１５０１：受信機能２０２からメディアストリームの入力を受け、Ｓ１５０２へ進む。
【００８４】
Ｓ１５０２：Ｓ１５０１にて入力されたメディアストリームより通常サービスのＴＳのＳＤＴを抽出し、記憶部２０４に保持されている通常サービスのＴＳのＳＤＴとの比較を行う。メディアストリームから取得したＳＤＴが更新されている場合にはＳ１５０３へ、更新されていない場合にはＳ１５０７へ進む。
【００８５】
Ｓ１５０３：Ｓ１５０２にて取得した通常サービスのＴＳのＳＤＴにおいて、ｐｒｉｖａｔｅ＿ｄａｔａ＿ｂｙｔｅが臨時サービス実施有りを示す値に設定された臨時サービス実施通知用リンク記述子の配置有無を確認する。ｐｒｉｖａｔｅ＿ｄａｔａ＿ｂｙｔｅが臨時サービス実施有りを示す値に設定された臨時サービス実施通知リンク記述子が配置されている場合はＳ１５０４へ、配置されていない場合はＳ１５０５へ進む。
【００８６】
Ｓ１５０４：選局機能２０１へ、臨時サービス実施チャンネル情報（図４のリンク記述子の、臨時サービスが実施されるｔｒａｎｓｐｏｒｔ＿ｓｔｒｅａｍ＿ｉｄ、ｏｒｉｇｉｎａｌ＿ｎｅｔｗｏｒｋ＿ｉｄ、ｓｅｒｖｉｃｅ＿ｉｄ）に記載の臨時サービスが視聴可能であることを、Ｓ１５０２にて取得した通常サービスのＴＳのＳＤＴ中に記載されるＴＳ＿ｉｄとともに通知し、Ｓ１５０６へ進む。
【００８７】
Ｓ１５０５：選局機能２０１へ、選局可能な臨時サービスがないことを通知し、Ｓ１５０６へ進む。
【００８８】
Ｓ１５０６：Ｓ１５０２にて取得した通常サービスのＴＳのＳＤＴを、記憶部２０４に保持（既存の記憶部２０４に保持されている通常サービスのＴＳのＳＤＴに上書きする）し、Ｓ１５０７へ進む。
【００８９】
Ｓ１５０７：Ｓ１５０１にて入力されたメディアストリームより臨時サービスのＴＳのＳＤＴを抽出し、記憶部２０４に保持されている臨時サービスのＴＳのＳＤＴとの比較を行う。メディアストリームから取得したＳＤＴが更新されている場合にはＳ１５０８へ、更新されていない場合にはＳ１５１２へ進む。
【００９０】
Ｓ１５０８：Ｓ１５０７にて取得した臨時サービスのＴＳのＳＤＴにおける臨時サービス終了時遷移先リンク記述子の配置有無を確認する。臨時サービス終了時遷移先リンク記述子が配置されている場合はＳ１５０９へ、配置されていない場合はＳ１５１０へ進む。
【００９１】
Ｓ１５０９：選局機能２０１へ、該当の臨時サービスが終了時に遷移する先が指定されていることを、Ｓ１５０８で確認した臨時サービス終了時遷移先リンク記述子中の臨時サービス終了時遷移先チャンネル情報（図４のリンク記述子の、臨時サービス終了時の遷移先ｔｒａｎｓｐｏｒｔ＿ｓｔｒｅａｍ＿ｉｄ、ｏｒｉｇｉｎａｌ＿ｎｅｔｗｏｒｋ＿ｉｄ、ｓｅｒｖｉｃｅ＿ｉｄ）とともに通知し、Ｓ１５１１へ進む。
【００９２】
Ｓ１５１０：選局機能２０１へ、Ｓ１５０７にて取得した臨時サービスのＴＳのＳＤＴ中に記載されるＴＳ＿ｉｄのＴＳ中にて実施される臨時サービスの終了時に遷移する先が指定されていないことを通知し、Ｓ１５１１へ進む。
Ｓ１５１１：Ｓ１５０７にて取得した臨時サービスのＴＳのＳＤＴを、記憶部２０４に保持する（既存の記憶部２０４に保持されている臨時サービスのＴＳのＳＤＴに上書きする）。
【００９３】
Ｓ１５１２：再生機能２０５へメディアストリームを出力する。
【００９４】
再生機能２０５は、ＳＩ処理機能２０３から入力されるメディアストリームを再生する。また、臨時サービス再生時に臨時サービスが終了した際（ＰＡＴから臨時サービスのｓｅｒｖｉｃｅ＿ｉｄが消えた際）には、選局機能２０１へ臨時サービス終了を通知し、選局を促す。
【００９５】
これにより、臨時サービスを通常テレビサービスと別のＴＳに分離した運用を行う際にも、臨時サービスと通常テレビサービス間の遷移を適切に行うことができる。
【００９６】
なお、上記のようにＳＤＴ中に臨時サービス実施通知リンク記述子及び臨時サービス終了時遷移先リンク記述子を追加する場合ではなく、ＮＩＴ中のＴＳループにて、通常サービスが実施されるＴＳのＴＳ＿ｉｄに該当する部分に臨時サービス実施通知リンク記述子を、臨時サービスが実施されるＴＳのＴＳ＿ｉｄに該当する部分に臨時サービス終了時遷移先リンク記述子を、それぞれ追加する場合（図８、図９のようにリンク記述子を配置する場合）においては、上記の各処理において、通常サービスのＴＳのＳＤＴに対して行う処理を、ＮＩＴ中のＴＳループにて、通常サービスが実施されるＴＳのＴＳ＿ｉｄに該当する部分に対して実施し、また、臨時サービスのＴＳのＳＤＴに対して行う処理を、ＮＩＴ中のＴＳループにて、臨時サービスが実施されるＴＳのＴＳ＿ｉｄに該当する部分に対して実施することで、同様に臨時サービスを通常テレビサービスと別のＴＳに分離した運用を行う際にも、臨時サービスと通常テレビサービス間の遷移を適切に行うことができる。
【００９７】
次に、デジタル放送、ＩＰ放送、または、ＩＰ同時再送信において通常サービスと臨時サービスの別ＴＳでの伝送を行える本発明の実施例を示す。
【００９８】
（実施例１）
図１６に本発明をデジタル放送で利用した場合のシステム構成を示す。図１６において、７０１は図１０の送出側装置１００を備えた放送局設備であり、７０２はデジタル放送波、７０３は図１０の受信側装置２００を備えた受信機である。
【００９９】
放送局設備７０１では放送番組を含んだデジタル放送波７０２を送る機能を有する。受信機７０３では同デジタル放送波７０２を受信し、再生・表示できる機能を有する。
【０１００】
以下、デジタル放送での本実施例におけるシステム動作について記述する。  
【０１０１】
（１）放送局設備７０１からは放送番組の情報をのせたデジタル放送波７０２を送る。この際、通常テレビサービスと臨時サービスとは別ＴＳでの伝送を行い、図５、図６に示すように、臨時サービス実施時には通常サービス側のＳＤＴに臨時サービス実施通知リンク記述子を配置し、さらに臨時サービス終了時の遷移先を指定する場合には臨時サービス側のＳＤＴに臨時サービス終了時遷移先リンク記述子を配置しておく。
【０１０２】
（２）受信機７０３では、同デジタル放送波７０２を受け、図１０で説明した受信側装置２００の処理を行い、臨時サービス選局可否を制御する。
【０１０３】
（実施例２）
図１７に本発明をＩＰ放送で利用した場合のシステム構成を示す。図１７において、８０１は図１０の送出側装置１００を備えたＩＰ化送出サーバである。８０２は、ＩＰ化送出サーバ８０１からＩＰネットワーク８０４を介して送出されるマルチキャストストリームを示している。８０３は図１０の受信側装置２００を備えた受信機である。
【０１０４】
前記ＩＰ放送で利用した場合、ＩＰ化送出サーバ８０１では放送番組を含んだマルチキャストストリーム８０２を送る機能を有する。受信機８０３では同マルチキャストストリーム８０２を受信し再生・表示できる機能を有する。
【０１０５】
以下、ＩＰ放送での本実施例におけるシステム動作について記述する。  
【０１０６】
（１）ＩＰ化送出サーバ８０１からは放送番組のマルチキャストストリーム８０２を送出する。この際、通常テレビサービスと臨時サービスとは別ＴＳでの伝送を行い、図５、図６に示すように、臨時サービス実施時には通常サービス側のＳＤＴに臨時サービス実施通知リンク記述子を配置し、さらに臨時サービス終了時の遷移先を指定する場合には臨時サービス側のＳＤＴに臨時サービス終了時遷移先リンク記述子を配置しておく。
【０１０７】
（２）受信機８０３では、前記マルチキャストストリーム８０２を受け、図１０で説明した受信側装置２００の処理を行い、臨時サービス選局可否を制御する。
【０１０８】
（実施例３）
図１８に本発明をＩＰ同時再送信で利用した場合のシステム構成を示す。図１８において、９０１は放送局設備であり、９０２は放送局設備９０１から送出されるデジタル放送波を示している。９０３は図１０の送出側装置１００を備えたＩＰ化送出サーバである。９０４は、ＩＰ化送出サーバ９０３からＩＰネットワーク９０６を介して送出されるマルチキャストストリームを示している。９０５は図１０の受信側装置２００を備えた受信機である。
【０１０９】
前記放送局設備９０１では放送番組を含んだデジタル放送波９０２を送る機能を有する。ＩＰ化送出サーバ９０３はデジタル放送波９０２を受け、デジタル放送波９０２をマルチキャストストリーム９０４に変換して送出する機能を有する。受信機９０５では同マルチキャストストリーム９０４を受信し、再生・表示できる機能を有する。
【０１１０】
以下、ＩＰ同時再送信での本実施例におけるシステム動作について記述する。
【０１１１】
（１）放送局設備９０１からは放送番組の情報をのせたデジタル放送波９０２を送る。
【０１１２】
（２）ＩＰ化送出サーバ９０３は、放送波９０２を受信し、マルチキャストストリーム９０４へ変換し送出する。この際、通常テレビサービスと臨時サービスとを別ＴＳへと分離し、図５、図６に示すように、臨時サービス実施時には通常サービス側のＳＤＴに臨時サービス実施通知リンク記述子を配置し、さらに臨時サービス終了時の遷移先を指定する場合には臨時サービス側のＳＤＴに臨時サービス終了時遷移先リンク記述子を配置しておく。
【０１１３】
（３）受信機９０５では、前記マルチキャストストリーム９０４を受け、図１０で説明した受信側装置２００の処理を行い、臨時サービス選局可否を制御する。
【０１１４】
また、本実施形態の臨時編成における臨時サービス伝送システム、臨時編成における臨時サービス伝送システムの受信側装置の各手段の一部もしくは全部の機能をコンピュータのプログラムで構成し、そのプログラムをコンピュータを用いて実行して本発明を実現することができること、本実施形態の臨時編成における臨時サービス伝送方法、臨時編成における臨時サービス伝送システムの受信側装置の処理方法の各手順をコンピュータのプログラムで構成し、そのプログラムをコンピュータに実行させることができることは言うまでもなく、コンピュータでその機能を実現するためのプログラムを、そのコンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＣＤ−Ｒ、ＣＤ−ＲＷ，ＨＤＤ，リムーバブルディスクなどに記録して、保存したり、配布したりすることが可能である。また、上記のプログラムをインターネットや電子メールなど、ネットワークを通して提供することも可能である。
【図面の簡単な説明】
【０１１５】
【図１】従来の臨時サービスの一実施例を示す説明図。
【図２】従来の臨時サービスの別ＴＳでの伝送例を示す説明図。
【図３】本発明で利用するＳＩ（Ｓｅｒｖｉｃｅ  Ｉｎｆｏｒｍａｔｉｏｎ）の説明図。
【図４】本発明で使用する記述子の一例を示す説明図。
【図５】本発明におけるリンク記述子の配置の一例を示す説明図。
【図６】本発明におけるリンク記述この配置の他の例を示す説明図。
【図７】本発明で使用する記述子の他の例を示す説明図。
【図８】本発明におけるリンク記述子の配置の他の例を示す説明図。
【図９】本発明におけるリンク記述子の配置の他の例を示す説明図。
【図１０】本発明の実施形態例の機能ブロック図。
【図１１】本発明のＳＩ編集制御機能での処理を示すフローチャート。
【図１２】本発明のＳＩ編集機能での処理の一例を示すフローチャート。
【図１３】本発明のＳＩ編集機能での処理の他の例を示すフローチャート。
【図１４】発明のＳＩ処理機能での処理の一例を示すフローチャート。
【図１５】本発明のＳＩ処理機能での処理の他の例を示すフローチャート。
【図１６】本発明の実施例１のシステム構成図。
【図１７】本発明の実施例２のシステム構成図。
【図１８】本発明の実施例３のシステム構成図。
【符号の説明】
【０１１６】
１００…送出側装置、１０１…番組コンテンツ、１０２、２０５…再生機能、１０３…アンテナ、１０４…チューナー、１０５…ＳＩ編集制御機能、１０６，２０４…記憶部、１０７…ＳＩ編集機能、１０８…設定値、１０９…送出機能、２００…受信側装置、２０１…選局機能、２０２…受信機能、２０３…ＳＩ処理機能、３００…デジタル放送網、７０１，９０１…放送局設備、７０３，８０３，９０５…受信機、８０１，９０３…ＩＰ化送出サーバ、８０２，９０４…マルチキャストストリーム、８０４，９０６…ＩＰネットワーク。
【図１】
2010093659.tif 000003
【図２】
2010093659.tif 000004
【図３】
2010093659.tif 000005
【図４】
2010093659.tif 000006
【図５】
2010093659.tif 000007
【図６】
2010093659.tif 000008
【図７】
2010093659.tif 000009
【図８】
2010093659.tif 000010
【図９】
2010093659.tif 000011
【図１０】
2010093659.tif 000012
【図１１】
2010093659.tif 000013
【図１２】
2010093659.tif 000014
【図１３】
2010093659.tif 000015
【図１４】
2010093659.tif 000016
【図１５】
2010093659.tif 000017
【図１６】
2010093659.tif 000018
【図１７】
2010093659.tif 000019
【図１８】
2010093659.tif 000020